(57)【要約】【課題】摩擦の際に摩擦体がぐらつくことがなく安定した適切な摩擦ができ、装着された摩擦体を容易に予備の摩擦体に交換することができる熱変色性筆記具を提供する。【解決手段】本願発明の熱変色性筆記具１は、頭冠２と、軸筒３と、摩擦体４と、予備摩擦体４ａと、を備える。軸筒３の第１の頭冠装着部３１は、頭冠２の軸筒装着孔２１に螺合により着脱自在に装着される。摩擦体４及び予備摩擦体４ａの第２の頭冠装着部４１は、頭冠２の摩擦体装着孔２２に螺合により着脱自在に装着される。予備摩擦体４ａは、軸筒３内部及び前記頭冠２内部に収容される。摩擦体４は予備摩擦体４ａと交換可能である。【選択図】図２
2020069743.tif 000002
【特許請求の範囲】
【請求項１】
軸筒の内部に熱変色性インキを収容し、前記軸筒の前端のペン先より前記熱変色性インキが吐出可能に構成し、前記軸筒の後端に、前記熱変色性インキの筆跡を摩擦し、その際に生じる摩擦熱で前記熱変色性インキの筆跡を熱変色可能な摩擦体を具備してなる熱変色性筆記具であって、
前記軸筒と、前記軸筒の後端に螺合により着脱自在に装着される頭冠と、前記頭冠の後端に螺合により着脱自在に装着される前記摩擦体と、前記軸筒内部及び前記頭冠内部に収容される予備摩擦体と、を備え、
前記軸筒は後方に突出する第１の頭冠装着部が設けられ、前記第１の頭冠装着部外面には第１の雄ねじ部を有し、前記頭冠は前方に開口する軸筒装着孔が設けられ、前記軸筒装着孔内面には前記第１の雄ねじ部に螺合可能な第１の雌ねじ部を有し、
前記頭冠は後方に開口する摩擦体装着孔が設けられ、前記摩擦体装着孔内面には第２の雌ねじ部を有し、前記摩擦体及び前記予備摩擦体は前方に突出する第２の頭冠装着部が設けられ、前記第２の頭冠装着部外面には第２の雄ねじ部を有し、前記第２の頭冠装着部は前記摩擦体装着孔に螺合により装着可能であり、前記摩擦体は前記予備摩擦体と交換可能であることを特徴とする熱変色性筆記具。
【請求項２】
軸筒の内部に熱変色性インキを収容し、前記軸筒の前端のペン先より前記熱変色性インキが吐出可能に構成し、前記軸筒の後端に、前記熱変色性インキの筆跡を摩擦し、その際に生じる摩擦熱で前記熱変色性インキの筆跡を熱変色可能な摩擦体を具備してなる熱変色性筆記具であって、
前記軸筒と、前記軸筒の後端に螺合により着脱自在に装着される頭冠と、前記摩擦体と、を備え、
前記軸筒は後方に突出する第１の頭冠装着部が設けられ、前記第１の頭冠装着部外面には第１の雄ねじ部を有し、前記頭冠は前方に開口する軸筒装着孔が設けられ、前記軸筒装着孔内面には前記第１の雄ねじ部に螺合可能な第１の雌ねじ部を有し、
前記頭冠は後端に径方向内方に突出する縮径部が設けられ、前記摩擦体は両端に摩擦部及び予備摩擦部が設けられ、前記摩擦体は軸方向中央部に径方向外方に突出する鍔部が設けられ、前記鍔部は前記第１の頭冠装着部の後端部と前記縮径部により挟持され、前記摩擦体は頭冠により抜け止めされ、前記摩擦部と前記予備摩擦部は前後反転して装着可能であることを特徴とする熱変色性筆記具。
【請求項３】
前記摩擦部と前記予備摩擦部の外形状が同一であることを特徴とする請求項２記載の熱変色性筆記具。
【請求項４】
前記摩擦体の外面の摩擦部側に、前記軸筒の前記第１の頭冠装着部に挿着可能な第１の挿着部を設け、前記予備摩擦部側に、前記軸筒の前記第１の頭冠装着部に挿着可能な第２の挿着部を設け、前記軸筒の前記第１の頭冠装着部に第１の挿着部または第２の挿着部を挿着し、前記頭冠の前記縮径部に前記第１の挿着部または前記第２の挿着部が挿着した請求項３記載の熱変色性筆記具。
【請求項５】
第１の挿着部の外径と第２の挿着部の外径が等しい請求項４記載の摩擦具。
【発明の詳細な説明】
【技術分野】
【０００１】
本発明は、熱変色性筆記具に関する。詳細には、熱変色性インキの筆跡を摩擦しその際に生じる摩擦熱で前記熱変色性インキの筆跡を熱変色可能な摩擦体を具備してなる熱変色性筆記具に関する。
【背景技術】
【０００２】
特許文献１には、所望する熱変色面積に適した外形状を有する摩擦部を選択して使用することができる摩擦具が開示されている。当該摩擦具の構成は、一端に第１の摩擦部を備え且つ他端に挿着孔を備えた第１のホルダーと、一端に第２の摩擦部を備え且つ他端に第３の摩擦部を備えた第２のホルダーと、一端に挿着孔を備えた第３のホルダーとからなり、前記第２のホルダーの第２の摩擦部側の外面に第１の挿着部を設け、前記第１の挿着部が、第１のホルダーの挿着孔に挿着可能であるとともに第３のホルダーの挿着孔に挿着可能であり、前記第２のホルダーの第３の摩擦部側の外面に第２の挿着部を設け、前記第２の挿着部が、第１のホルダーの挿着孔に挿着可能であるとともに第３のホルダーの挿着孔に挿着可能であり、前記第１の摩擦部、第２の摩擦部、及び第３の摩擦部のいずれによっても熱変色性インキの筆跡を摩擦熱で熱変色可能としたものである。当該摩擦具によれば、所望する熱変色面積に適した外形状を有するなど、複数の摩擦部を選択して使用することができる。
【０００３】
また、特許文献２には、軸筒の後端部に、頭冠をネジ嵌合によって着脱自在に装着した出没式筆記具が開示されている。当該出没式筆記具によれば、移動時には、頭冠を取り外すことができ、筆記具全長を短くすることができる。また、所望の頭冠に取り換えも可能となる。
【０００４】
【特許文献１】特開２００９−６６８９２号公報
【特許文献２】特開２０１３−１８８９２２号公報
【発明の開示】
【発明が解決しようとする課題】
【０００５】
しかしながら、特許文献１に開事された技術では、第２のホルダーの貫通孔に、低摩耗性の弾性材料（例えば、ＳＢＳ樹脂、ＳＥＢＳ樹脂）よりなる第２の軟質部材（即ち芯体）が挿着されるため、第２のホルダーと第２の軟質部材を組み立てるためには、第２のホルダーの貫通孔と第２の軟質部材の間に径方向の隙間が必要となり、その結果、摩擦の際には第２の軟質部材がぐらつき、安定した適切な摩擦ができないおそれがある。
【０００６】
また、特許文献２に開示された技術では、出没式筆記具に摩擦体を１種類しか設けていないため、摩擦体が摩耗、破損又は汚損等した場合に、容易に摩擦体を交換することができない。また、摩擦体単体を予備として出没式筆記具外に所有していた場合でも、頭冠と摩擦体が摩擦時にぐらつかないように強固に装着されているため、頭冠に係合された摩擦体を予備の摩擦体に交換することが困難となるおそれがある。
【０００７】
本発明は、以上のような知見に鑑みてなされたものであり、摩擦の際に摩擦体がぐらつくことがなく安定した適切な摩擦ができ、装着された摩擦体を容易に予備の摩擦体に交換することができる熱変色性筆記具を提供することである。なお、本発明において、「前」とは、ペン先側を指し、「後」とは、その反対側を指す。
【課題を解決するための手段】
【０００８】
本願の第１の発明は、軸筒の内部に熱変色性インキを収容し、前記軸筒の前端のペン先より前記熱変色性インキが吐出可能に構成し、前記軸筒の後端に、前記熱変色性インキの筆跡を摩擦し、その際に生じる摩擦熱で前記熱変色性インキの筆跡を熱変色可能な摩擦体を具備してなる熱変色性筆記具であって、前記軸筒と、前記軸筒の後端に螺合により着脱自在に装着される頭冠と、前記頭冠の後端に螺合により着脱自在に装着される前記摩擦体と、前記軸筒内部及び前記頭冠内部に収容される予備摩擦体と、を備え、前記軸筒は後方に突出する第１の頭冠装着部が設けられ、前記第１の頭冠装着部外面には第１の雄ねじ部を有し、前記頭冠は前方に開口する軸筒装着孔が設けられ、前記軸筒装着孔内面には前記第１の雄ねじ部に螺合可能な第１の雌ねじ部を有し、前記頭冠は後方に開口する摩擦体装着孔が設けられ、前記摩擦体装着孔内面には第２の雌ねじ部を有し、前記摩擦体及び前記予備摩擦体は前方に突出する第２の頭冠装着部が設けられ、前記第２の頭冠装着部外面には第２の雄ねじ部を有し、前記第２の頭冠装着部は前記摩擦体装着孔に螺合により装着可能であり、前記摩擦体は前記予備摩擦体と交換可能であることを要件とする。
【０００９】
前記第１の発明の熱変色性筆記具は、前記軸筒と、前記軸筒の後端に螺合により着脱自在に装着される頭冠と、前記頭冠の後端に螺合により着脱自在に装着される前記摩擦体と、前記軸筒内部及び前記頭冠内部に収容される予備摩擦体と、を備え、前記軸筒は後方に突出する第１の頭冠装着部が設けられ、前記第１の頭冠装着部外面には第１の雄ねじ部を有し、前記頭冠は前方に開口する軸筒装着孔が設けられ、前記軸筒装着孔内面には前記第１の雄ねじ部に螺合可能な第１の雌ねじ部を有し、前記頭冠は後方に開口する摩擦体装着孔が設けられ、前記摩擦体装着孔内面には第２の雌ねじ部を有し、前記摩擦体及び前記予備摩擦体は前方に突出する第２の頭冠装着部が設けられ、前記第２の頭冠装着部外面には第２の雄ねじ部を有し、前記第２の頭冠装着部は前記摩擦体装着孔に螺合により装着可能であり、前記摩擦体は前記予備摩擦体と交換可能であるため、摩擦の際に摩擦体がぐらつくことがなく安定した適切な摩擦ができ、装着された摩擦体を、容易に予備の摩擦体に交換することができる。
【００１０】
本願の第２の発明は、軸筒の内部に熱変色性インキを収容し、前記軸筒の前端のペン先より前記熱変色性インキが吐出可能に構成し、前記軸筒の後端に、前記熱変色性インキの筆跡を摩擦し、その際に生じる摩擦熱で前記熱変色性インキの筆跡を熱変色可能な摩擦体を具備してなる熱変色性筆記具であって、前記軸筒と、前記軸筒の後端に螺合により着脱自在に装着される頭冠と、前記摩擦体と、を備え、前記軸筒は後方に突出する第１の頭冠装着部が設けられ、前記第１の頭冠装着部外面には第１の雄ねじ部を有し、前記頭冠は前方に開口する軸筒装着孔が設けられ、前記軸筒装着孔内面には前記第１の雄ねじ部に螺合可能な第１の雌ねじ部を有し、前記頭冠は後端に径方向内方に突出する縮径部が設けられ、前記摩擦体は両端に摩擦部及び予備摩擦部が設けられ、前記摩擦体は軸方向中央部に径方向外方に突出する鍔部が設けられ、前記鍔部は前記第１の頭冠装着部の後端部と前記縮径部により挟持され、前記摩擦体は頭冠により抜け止めされ、前記摩擦部と前記予備摩擦部は前後反転して装着可能であることを要件とする。
【００１１】
前記第２の発明の熱変色性筆記具において、前記軸筒と、前記軸筒の後端に螺合により着脱自在に装着される頭冠と、前記摩擦体と、を備え、前記軸筒は後方に突出する第１の頭冠装着部が設けられ、前記第１の頭冠装着部外面には第１の雄ねじ部を有し、前記頭冠は前方に開口する軸筒装着孔が設けられ、前記軸筒装着孔内面には前記第１の雄ねじ部に螺合可能な第１の雌ねじ部を有し、前記頭冠は後端に径方向内方に突出する縮径部が設けられ、前記摩擦体は両端に摩擦部及び予備摩擦部が設けられ、前記摩擦体は軸方向中央部に径方向外方に突出する鍔部が設けられ、前記鍔部は前記第１の頭冠装着部の後端部と前記縮径部により挟持され、前記摩擦体は頭冠により抜け止めされ、前記摩擦部と前記予備摩擦部は前後反転して装着可能であるため、摩擦の際に摩擦体がぐらつくことがなく安定した適切な摩擦ができ、装着された摩擦部を、容易に予備の摩擦部に交換することができる。
【発明の効果】
【００１２】
本発明は、摩擦の際に摩擦体がぐらつくことがなく安定した適切な摩擦ができると共に、装着された摩擦体を、容易に予備の摩擦体又は摩擦部に交換することができるため、商品価値の高い熱変色性筆記具を提供できる。
【図面の簡単な説明】
【００１３】
【図１】本発明の第１実施形態を示す正面図である。
【図２】図１の要部拡大縦断面図である。
【図３】図１の摩擦体交換の状態を示す分解図である。
【図４】図１の摩擦体及び予備摩擦体の斜視図である。
【図５】本発明の第２実施形態を示す正面図である。
【図６】図５の要部拡大縦断面図である。
【図７】図５の摩擦体交換の状態を示す分解図である。
【図８】図５の摩擦体及び予備摩擦体の斜視図である。
【発明を実施するための形態】
【００１４】
以下、図面を参照して本発明の２つの実施の形態について説明する。
【００１５】
＜第１実施形態＞
図１乃至図４に、本発明の第１実施形態を示す。図１は、本発明の第１実施形態における熱変色性筆記具１の正面図であって、ペン先（筆記体）が突出していない状態を示す図である。図２は、本実施形態の熱変色性筆記具１の後端部分の拡大縦断面図である。図３は、本実施形態の摩擦体４を交換する際の状態を示す分解図である。図４は、本実施形態の摩擦体４の斜視図である。
【００１６】
本実施の形態の熱変色性筆記具１は多芯式出没式筆記具であり、軸筒３側壁外面にスライド操作部を有し、該スライド操作部又はクリップ部を操作部としてスライドさせることにより筆記体の筆記先端部を軸筒３先端開口部から出没させる構成である。筆記体は、軸筒３内に収納され、出没機構の作動によって筆記体の筆記先端部が軸筒３先端開口部から出没する筆記具を構成できる。軸筒３内に複数本（具体的には３本）の筆記体が前後方向に移動可能に収容され、各々の筆記体は、弾発体（具体的には圧縮コイルスプリング）により、後方に付勢されている。
【００１７】
出没機構は、これ以外にも、軸筒後端に設けた操作部を前方に押圧することによりペン先が出没する後端ノック式、軸筒側壁外面より突出する操作部を径方向内方に押圧することによりペン先が出没するサイドノック式、軸筒後部の操作部を回転操作することによりペン先が出没する回転式等が挙げられる。
【００１８】
・筆記体
筆記体は、ペン先と、該ペン先が前端開口部に圧入固着されたインキ収容管と、該インキ収容管内に充填される熱変色性インキと、該熱変色性インキの後端に充填され且つ該熱変色性インキの消費に伴い前進する追従体（例えば高粘度流体）とからなる。本実施の形態の熱変色性筆記具１に適用される筆記体のうち、熱変色性インキ組成物を収容した筆記体は、軸筒３内に１本又は２本以上で収容される。
【００１９】
ペン先は、例えば、前端に回転可能にボールを抱持した金属製のボールペンチップのみからなる構成、またはボールペンチップの後部外面を保持した合成樹脂製のペン先ホルダーからなる構成が挙げられる。また、インキ収容管の後端開口部に、インキ収容管と外部とが通気可能な通気孔を備えた尾栓が取り付けられる。ペン先の内部には、前端のボールを前方に押圧するスプリングが収容される。スプリングは、圧縮コイルスプリングの前端部にロッド部を備えた構成であり、ロッド部の前端がボール後面に接触している。非筆記時、スプリングの前方付勢によりボールがボールペンチップ前端の内向きの前端縁部内面に密接され、ペン先の前端からのインキの漏出及びインキの蒸発を防止できる。
【００２０】
・熱変色性インキ
尚、本発明において、熱変色性インキは、可逆熱変色性インキが好ましい。可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００２１】
また、可逆熱変色性インキに含有される色材は、従来より公知の（イ）電子供与性呈色性有機化合物、（ロ）電子受容性化合物、及び（ハ）両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。
【００２２】
・軸筒
図１及び図３に示すように、本実施形態の熱変色性筆記具１は、先細状の円筒体からなる前軸３ａと、当該前軸３ａの後端部と螺合または圧入により取り付けられる円筒状の後軸３ｂと、からなる軸筒３を備えている。前軸３ａの前端には、筆記体のペン先が突出可能な開口が軸方向に貫設されている。前軸３ａ及び後軸３ｂは、合成樹脂（例えば、ポリカーボネイト等）または金属により形成される。
【００２３】
後軸３ｂの後部の側壁には、例えば３本（２〜６本から選択され得る）の前後方向に延びる細長状の窓孔３３が、径方向に貫設されている。３本の窓孔３３は、例えば、周方向に等間隔に形成されている。
【００２４】
軸筒３の後端部には後方に突出する第１の頭冠装着部３１が設けられ、第１の頭冠装着部３１外面には第１の雄ねじ部３２を有する。第１の頭冠装着部３１には、頭冠２が螺合により着脱自在に装着される。
【００２５】
・頭冠
図２又は図３に示すように、本実施形態の熱変色性筆記具１の後端には頭冠２が螺合により着脱自在に設けられる。頭冠２は、前方に開口する軸筒装着孔２１が設けられ、軸筒装着孔２１内面には第１の雌ねじ部２３を有する。
【００２６】
また、頭冠２は後方に開口する摩擦体装着孔２２が設けられ、摩擦体装着孔２２内面には第２の雌ねじ部２４を有する。頭冠２は、摩擦体４の前端に設けられた第２の頭冠装着部４１と螺合により着脱自在に装着される。装着された軸筒３と頭冠２との内部には、予備摩擦体４ａが収容される。
【００２７】
本実施の形態の熱変色筆記具１は、頭冠２の外面には、二面幅部やローレット部よりなる回転操作部が形成されることが好ましい。回転操作部を回転操作することにより、軸筒３と頭冠２との螺合状態が解除され、軸筒３と頭冠２との容易な着脱が可能になる。回転操作部とは、例えば、スパナ掛け可能な６角形や８角形等の二面幅部、又はローレット部等を挙げることができる。
【００２８】
・摩擦体
熱変色性筆記具１は摩擦体４を備える。本実施の形態において、摩擦体４は内部に熱変色性インキを内蔵し且つ該熱変色性インキを筆記体より吐出可能な筆記具の後端に設ける構成が好ましい。
【００２９】
本実施の形態において、摩擦体４を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）又は２種以上のゴム弾性材料の混合物、及び、ゴム弾性材料と合成樹脂との混合物等が挙げられる。摩擦体４を構成する弾性を有する合成樹脂は、高摩耗性の弾性材料（例えば、消しゴム等）ではなく、摩擦時に摩耗カス（消しカス）が殆ど生じない低摩耗性の弾性材料である。摩擦体４は筆記具と別体の任意形状の部材である摩擦具とを組み合わせて筆記具セットを得ることもできるが、筆記具に摩擦体４を設けることにより、携帯性に優れたものとなる。
【００３０】
摩擦体４は、ポリプロピレン樹脂及びスチレン系熱可塑性エラストマーの混合物、またはポリプロピレン樹脂及びポリプロピレン系熱可塑性エラストマーの混合物から形成されてもよい。混合物の配合比率がそれぞれ重量比で１：１〜１：４であり、研磨剤、可塑剤、充填剤を含有せず、ＪＩＳ  Ｋ６２５１に規定されたデュロメータ硬度Ａが７０°〜１００°となる材質からなり、ＪＩＳ  Ｓ  ６０５０−２００２に規定する鉛筆描線の消し能力（消字率）が７０％以下のものである可塑剤を含有しない低摩耗性の弾性材料から形成される。それによって摩擦体４は、擦過時に消しカスが生じにくく、熱変色性も優れているので有効である。
【００３１】
摩擦体４は、摩擦時に摩耗カス（消しカス）が殆ど生じない低摩耗性の弾性材料から形成されるが、摩擦する面の種類若しくは状態又は摩擦の方法によっては、少しずつ摩耗又は破損する可能性がある。摩耗又は破損した摩擦体４では適切な摩擦ができず、熱変色性インキの筆跡を摩擦し、その際に生じる摩擦熱で熱変色性インキの筆跡を熱変色させることが困難となるおそれがある。
【００３２】
また、摩擦体４は、摩擦する面に鉛筆等で筆記された筆跡があった場合又は摩擦する面が汚れていた場合は、鉛筆等の芯のカス又は汚れが摩擦体４に転写され、摩擦体４が汚損する可能性がある。汚損した摩擦体４では、別の紙面等を摩擦した際に摩擦体４に付着した汚れ等を紙面に転写してしまい、紙面を汚してしまうおそれがある。
【００３３】
摩擦体４が摩耗若しくは破損又は汚損等した場合に、摩耗若しくは破損又は汚損等した摩擦体４を新しい摩擦体４に交換することで再度適切な摩擦をすることが可能となる。
【００３４】
本実施の形態の熱変色性筆記具１は、頭冠２の後端に螺合により着脱自在に装着される摩擦体４と、軸筒３内部及び頭冠２内部に収容される予備摩擦体４ａの２つの摩擦体を備え、摩擦体４は予備摩擦体４ａと交換可能である。
【００３５】
摩擦体４及び予備摩擦体４ａは共に、前方に突出し摩擦体装着孔２２に着脱自在に装着される第２の頭冠装着部４１が設けられる。第２の頭冠装着部４１外面には第２の雄ねじ部４２を有する。
【００３６】
摩擦体４の交換の前後で同一の摩擦性能を得る場合は、摩擦体４と予備摩擦体４ａは同一形状であることが好ましい。これにより、摩擦体４が摩耗等して予備摩擦体４ａに交換した後でも交換前と同じ一定の摩擦性能を得ることができ、安定した筆記性能が維持できる。また、摩擦範囲を摩擦体形状により変える場合は、摩擦体４と予備摩擦体４ａの摩擦部は異なる形状であることが好ましい。これにより、１本の筆記具で、広い範囲と狭い範囲を共に摩擦することができる。
【００３７】
摩擦体４は、軸心方向に空気流路４３を備えることが好ましい。これにより、摩擦体４を幼児が誤って飲み込んだ場合でも、摩擦体５の空気流路４３が通気可能となり気道を確保することができ、窒息事故を回避できる。
【００３８】
本実施の形態の熱変色筆記具１は、摩擦体４の外面には、二面幅部やローレット部よりなる回転操作部が形成されることが好ましい。回転操作部を回転操作することにより、摩擦体４と頭冠２との螺合状態が解除され、摩擦体４と頭冠２との容易な着脱が可能になる。回転操作部とは、例えば、スパナ掛け可能な６角形や８角形等の二面幅部、又はローレット部等を挙げることができる。
【００３９】
以上のような構成の熱変色性筆記具１は、以下のように作用する。
【００４０】
摩擦体４使用時（すなわち摩擦時）においては、図２に示すように、摩擦体４の第２の頭冠装着部４１が頭冠２の摩擦体装着孔２２に螺合により装着され、頭冠２の軸筒装着孔２１が軸筒３の第１の頭冠装着部３１に螺合により装着される。これにより、摩擦体４が熱変色性筆記具１に安定して装着されるため、摩擦の際に摩擦体がぐらつくことがなく安定した適切な摩擦ができる。
【００４１】
一方、摩擦体４交換時は、図３に示すように、摩擦体４の第２の頭冠装着部４１が頭冠２の摩擦体装着孔２２より取り外され、頭冠２の軸筒装着孔２１が軸筒３の第１の頭冠装着部３１より取り外される。摩擦体４と頭冠２及び頭冠２と軸筒３は着脱自在に螺合により装着されているため、容易に分解することができる。
【００４２】
また、頭冠２の軸筒装着孔２１が軸筒３の第１の頭冠装着部３１より取り外されることに伴い、軸筒３と頭冠２との内部に収容されていた予備摩擦体４ａが取り外される。これにより、摩耗若しくは破損又は汚損等した摩擦体４は、予備摩擦体４ａと容易に交換可能となる。
【００４３】
また、摩耗若しくは破損又は汚損等した摩擦体４は、予備摩擦体４ａが収容されていた軸筒３と頭冠２との内部に収容することが可能である。これにより、軸筒３と頭冠２との内部空間を使用済みの摩擦体４を廃棄するまでの収容場所として利用できる。
【００４４】
以上の通り、本実施形態の熱変色性筆記具１によれば、摩擦の際に摩擦体４がぐらつくことがなく安定した適切な摩擦ができると共に、頭冠２に装着された摩擦体４を、容易に予備摩擦体４ａに交換することができるため、熱変色性筆記具における摩擦性能を長期間維持することができ、商品価値の高い熱変色性筆記具を提供することができる。
【００４５】
＜第２実施形態＞
図５乃至図８に、本発明の第２実施形態を示す。これは、第１実施形態の変形例であり、第１実施形態と異なる点は、摩擦体４と予備摩擦体４ａが一体となった、両端に摩擦部を設けた摩擦体５を備えた点である。また、第２実施形態の摩擦体５の装着方法が、頭冠２と軸筒３の挟み込みとなった点である。他の構成及び作用効果は第１実施形態と同じであるため、その説明は省略する。
【００４６】
図５は、本発明の第２実施形態における熱変色性筆記具１の正面図であって、ペン先（筆記体）が突出していない状態を示す図である。図６は、本実施形態の熱変色性筆記具１の後端部分の拡大縦断面図である。図７は、本実施形態の摩擦体５の摩擦部５ａと予備摩擦部５ｂを入れ替える際の状態を示す分解図である。図８は、本実施形態の摩擦体５の斜視図である。
【００４７】
・頭冠
頭冠２は後端に径方向内方に突出する縮径部２５が設けられる。後述する摩擦体５は、両端に縮径部２５から後方に突出する摩擦部５ａ及び予備摩擦部５ｂが設けられ、摩擦体５は軸方向中央部に径方向外方に突出する鍔部が設けられる。鍔部は第１の頭冠装着部３１の後端部と縮径部２５により挟持されることにより、摩擦体５は頭冠２により抜け止めされ、摩擦部５ａと予備摩擦部５ｂは前後反転して装着可能である。
【００４８】
・摩擦体
摩擦体５は、両端に縮径部２５から後方に突出する摩擦部５ａ及び予備摩擦部５ｂが設けられ、摩擦体５は軸方向中央部に径方向外方に突出する鍔部５１が設けられ、鍔部５１は第１の頭冠装着部３１の後端部と縮径部２５により挟持されることにより、摩擦体５は頭冠２により抜け止めされ、摩擦部５ａと予備摩擦部５ｂは前後反転して装着可能である。
【００４９】
摩擦部５ａと予備摩擦部５ｂを前後反転して装着する前後で同一の摩擦性能を得る場合は、摩擦部５ａと予備摩擦部５ｂは同一形状であることが好ましい。また、摩擦範囲を摩擦体形状により変える場合は、摩擦部５ａと予備摩擦部５ｂは異なる形状であることが好ましい。
【００５０】
摩擦体５の外面の摩擦部５ａ側に、軸筒３の第１の頭冠装着部３１に挿着可能な第１の挿着部５２を設け、予備摩擦部５ｂ側に、軸筒３の第１の頭冠装着部３１に挿着可能な第２の挿着部５３を設ける。これにより、軸筒３の第１の頭冠装着部３１に第１の挿着部５２または第２の挿着部５３を挿着することができる。また、頭冠２の縮径部２５に第１の挿着部５２または第２の挿着部５３を挿着することができる。また、第１の挿着部５２の外径と第２の挿着部５３の外径は等しいことが好ましい。
【００５１】
摩擦体５は、軸心方向に空気流路５４を備えることが好ましい。これにより、摩擦体５を幼児が誤って飲み込んだ場合でも、摩擦体５の空気流路５４が通気可能となり気道を確保することができ、窒息事故を回避できる。
【００５２】
摩擦体５は、摩擦体５にホルダー等を係止させる事無く、摩擦体５の鍔部５１を第１の頭冠装着部３１の後端部と縮径部２５により直接挟持させることが好ましい。これにより、ホルダーの貫通孔に摩擦体を装着する工程が削減でき、また部品点数も減りコストを下げることができる。
【００５３】
以上のような構成の熱変色性筆記具１は、以下のように作用する。
【００５４】
摩擦体５使用時（すなわち摩擦時）においては、図６に示すように、軸筒装着孔２１が第１の頭冠装着部３１に螺合により装着されることにより、鍔部５１は第１の頭冠装着部３１の後端部と縮径部２５により挟持され、摩擦体５は頭冠２により抜け止めされる。これにより、摩擦体５が熱変色性筆記具１に安定して装着されるため、摩擦の際に摩擦体がぐらつくことがなく安定した適切な摩擦ができる。
【００５５】
また、摩擦体５の摩擦部５ａと予備摩擦部５ｂを入れ替える際は、図７に示すように、頭冠２の軸筒装着孔２１が軸筒３の第１の頭冠装着部３１より取り外される。頭冠２と軸筒３は着脱自在に螺合により装着されているため、容易に分解することができる。
【００５６】
また、頭冠２の軸筒装着孔２１が軸筒３の第１の頭冠装着部３１より取り外されることに伴い、摩擦体５も取り外し可能となる。これにより、摩擦部５ａと予備摩擦部５ｂは前後反転して装着可能となり、摩耗若しくは破損又は汚損等した摩擦部５ａは、予備摩擦部５ｂと容易に入れ替えることが可能となる。
【００５７】
また、摩耗若しくは破損又は汚損等した摩擦体５は、同一部材に摩擦部５ａと予備摩擦部５ｂを備える。これにより、軸筒３と頭冠２との内部空間に予備摩擦体を収容する必要が無く、使用済みの摩擦体の収容場所も必要としない。
【００５８】
以上の通り、本実施形態の熱変色性筆記具１によれば、摩擦の際に摩擦体５がぐらつくことがなく安定した適切な摩擦ができると共に、頭冠２に装着された摩擦体５を、摩擦部５ａから容易に予備摩擦部５ｂに入れ替えることができるため、熱変色性筆記具における摩擦性能を長期間維持することができ、商品価値の高い熱変色性筆記具を提供することができる。
【符号の説明】
【００５９】
１  熱変色性筆記具
２  頭冠
２１  軸筒装着孔
２２  摩擦体装着孔
２３  第１の雌ねじ部
２４  第２の雌ねじ部
２５  縮径部
３  軸筒
３ａ  前軸
３ｂ  後軸
３１  第１の頭冠装着部
３２  第１の雄ねじ部
３３  窓孔
４  摩擦体
４ａ  予備摩擦体
４１  第２の頭冠装着部
４２  第２の雄ねじ部
４３  空気流路
５  摩擦体
５ａ  摩擦部
５ｂ  予備摩擦部
５１  鍔部
５２  第１の挿着部
５３  第２の挿着部
５４  空気流路
【図１】
2020069743.tif 000003
【図２】
2020069743.tif 000004
【図３】
2020069743.tif 000005
【図４】
2020069743.tif 000006
【図５】
2020069743.tif 000007
【図６】
2020069743.tif 000008
【図７】
2020069743.tif 000009
【図８】
2020069743.tif 000010